(57)【要約】【課題】切り込みに差し込まれた植物に関する情報を取得可能である植物支持具を提供する。【解決手段】植物支持具１０は、吸水スポンジ１１の上面１１ａに切り込み１２が形成されてなる。切り込み１２は、植物２０が差し込まれる植物用切り込み１３と、植物２０の情報が記載されたラベル２１が差し込まれるラベル用切り込み１４と、を備える。【選択図】図１
0003225581.tif 000002
【実用新案登録請求の範囲】
【請求項１】
吸水スポンジの上面に切り込みが形成された植物支持具であって、
前記切り込みは、
植物が差し込まれる植物用切り込みと、
前記植物の情報が記載されたラベルが差し込まれるラベル用切り込みと、
を備えることを特徴とする植物支持具。
【請求項２】
前記植物用切り込みは、前記上面に対して直交する方向から見て十字状をなす請求項１に記載の植物支持具。
【請求項３】
前記ラベル用切り込みは、前記上面に対して直交する方向から見て直線状をなす請求項１又は請求項２に記載の植物支持具。
【考案の詳細な説明】
【技術分野】
【０００１】
本考案は、植物を支持する植物支持具に関する。
【背景技術】
【０００２】
従来から、吸水スポンジの上面に切り込みが形成された植物支持具が知られている。植物支持具では、切り込みに植物が差し込まれると、切り込みの周りの吸水スポンジによって植物を支持できる。吸水スポンジに水が充填されると、切り込みに差し込まれた植物への水やりを行える。
【考案の概要】
【考案が解決しようとする課題】
【０００３】
植物支持具においては、植物名など、切り込みに差し込まれた植物の情報が得られることが望まれていた。
本考案の目的は、切り込みに差し込まれた植物に関する情報を取得可能である植物支持具を提供することにある。
【課題を解決するための手段】
【０００４】
上記課題を解決する植物支持具は、吸水スポンジの上面に切り込みが形成された植物支持具であって、前記切り込みは、植物が差し込まれる植物用切り込みと、前記植物の情報が記載されたラベルが差し込まれるラベル用切り込みと、を備えることを特徴とする。
【０００５】
同構成によれば、植物用切り込みとは別にラベル用切り込みが吸水スポンジの上面に形成されているため、ラベル用切り込みに差し込まれたラベルによって、植物用切り込みに差し込まれた植物に関する情報を取得可能である。
【０００６】
植物支持具において、前記植物用切り込みは、前記上面に対して直交する方向から見て十字状をなすことが好ましい。
同構成によれば、植物用切り込みの交差部分に植物を差し込むことにより、植物の周りを吸水スポンジによって囲むことができる。したがって、植物をより安定した姿勢で支持できる。
【０００７】
植物支持具において、前記ラベル用切り込みは、前記上面に対して直交する方向から見て直線状をなすことが好ましい。
同構成によれば、ラベル用切り込みの形状に沿うようにラベルをラベル用切り込みに差し込むことにより、ラベルの両面から吸水スポンジによってラベルを挟むことができる。したがって、ラベルをより安定した姿勢で支持できる。
【考案の効果】
【０００８】
本考案によれば、切り込みに差し込まれた植物に関する情報を取得することができる。
【図面の簡単な説明】
【０００９】
【図１】植物支持具の斜視図。
【図２】植物支持具の斜視図。
【図３】植物支持具の上面図。
【考案を実施するための形態】
【００１０】
以下、図１〜図３を参照して、植物支持具の一実施形態について説明する。なお、図面では、植物支持具１０が水平面上に置かれているものとして、重力の方向をＺ軸で示し、水平面に沿う方向をＸ軸及びＹ軸で示す。Ｘ軸、Ｙ軸、及びＺ軸は、互いに直交する。以下の説明では、Ｘ軸が指す方向を奥行方向Ｘ、Ｙ軸が指す方向を幅方向Ｙ、Ｚ軸が指す方向を鉛直方向Ｚともいう。
【００１１】
図１及び図２に示すように、植物支持具１０は、立方体状の吸水スポンジ１１を備える。吸水スポンジ１１は例えばウレタン製である。鉛直方向Ｚにおける吸水スポンジ１１の上端には、矩形状の上面１１ａが位置している。上面１１ａは、奥行方向Ｘに沿って延びる二辺と幅方向Ｙに沿って延びる二辺との四辺によって囲まれてなる吸水スポンジ１１の端面である。
【００１２】
上面１１ａには、切り込み１２が形成されている。切り込み１２は、鉛直方向Ｚにおける吸水スポンジ１１の上面１１ａから吸水スポンジ１１の途中までの形成深さをもって、吸水スポンジ１１に形成されている。また、切り込み１２は、植物２０の茎２０ａが差し込まれる植物用切り込み１３と、植物２０の情報が記載されたラベル２１が差し込まれるラベル用切り込み１４と、を備える。
【００１３】
図３に示すように、植物用切り込み１３は、第１植物用切り込み１３ａと第２植物用切り込み１３ｂとで構成されている。上面１１ａに対して直交する方向である鉛直方向Ｚの上方から吸水スポンジ１１を見たときに、第１植物用切り込み１３ａ及び第２植物用切り込み１３ｂは、上面１１ａに同じ寸法をもって延びる直線状をなし、上面１１ａにおいて互いに直交している。すなわち、植物用切り込み１３は、上面１１ａに対して直交する方向から見て十字状をなしている。
【００１４】
第１植物用切り込み１３ａと第２植物用切り込み１３ｂとの交差部分１３ｃは、上面１１ａの中心位置１１ｃに位置する。また、第１植物用切り込み１３ａ及び第２植物用切り込み１３ｂは、それぞれ奥行方向Ｘ及び幅方向Ｙの両方向とは異なる方向に沿って上面１１ａで延びている。上面１１ａにおける第１植物用切り込み１３ａ及び第２植物用切り込み１３ｂの両端部は、上面１１ａにおける四辺よりも内側に位置している。
【００１５】
ラベル用切り込み１４は、上面１１ａに対して直交する方向から見て、幅方向Ｙに延びる上面１１ａの一辺と中心位置１１ｃとの奥行方向Ｘにおける間に位置し、幅方向Ｙに延びる上面１１ａの一辺と平行をなすように延びる直線状をなす。上面１１ａにおけるラベル用切り込み１４の両端部は、奥行方向Ｘに延びる上面１１ａの二辺よりも内側に位置している。ラベル用切り込み１４は、吸水スポンジ１１の上面１１ａにおいて植物用切り込み１３とは交差しない。
【００１６】
図１に示すように、ラベル用切り込み１４に差し込まれるラベル２１は、例えば全体形状が平板状であり、植物名が表示された表示部２１ａと、表示部２１ａから延びる差込部２１ｂと、を備える。差込部２１ｂがラベル用切り込み１４に差し込まれることにより、ラベル用切り込み１４へのラベル２１の差し込みが行われる。
【００１７】
次に、本実施形態の作用を説明する。
図１及び図３に示すように、植物２０の茎２０ａが植物用切り込み１３の交差部分１３ｃに差し込まれることにより、植物２０の茎２０ａの周りが吸水スポンジ１１によって囲まれるようになる。そして、植物２０の茎２０ａが吸水スポンジ１１の上面１１ａの中心位置１１ｃにて支持された状態になる。なお、植物用切り込み１３に差し込まれる植物２０は、母株から茎２０ａの一部を切り取ったいわゆる差し穂であってもよいし、茎２０ａから根が生えた苗であってもよい。
【００１８】
吸水スポンジ１１に水が充填されると、吸水スポンジ１１が保水する。植物２０は、保水した吸水スポンジ１１から水を取り込むことができる。植物２０を栽培する栽培者は、定期的に吸水スポンジ１１に水を含ませる作業を行うことで、吸水スポンジ１１に植物２０が差し込まれたままで植物２０の栽培を行うことができる。
【００１９】
また、ラベル用切り込み１４にはラベル２１の差込部２１ｂが差し込まれる。差込部２１ｂがラベル用切り込み１４に差し込まれる際には、ラベル用切り込み１４の形状に沿って差込部２１ｂが差し込まれる。ラベル用切り込み１４への差込部２１ｂの差し込みが完了すると、ラベル用切り込み１４の周りの吸水スポンジ１１によって差込部２１ｂが両面から挟まれるようになる。そして、植物支持具１０によってラベル２１が支持された状態となり、表示部２１ａは鉛直方向Ｚにおける上面１１ａよりも上部にて立設した姿勢となる。
【００２０】
次に、本実施形態の効果を説明する。
（１）植物用切り込み１３とは別にラベル用切り込み１４が吸水スポンジ１１の上面１１ａに形成されているため、ラベル用切り込み１４に差し込まれたラベル２１によって、植物用切り込み１３に差し込まれた植物２０に関する情報を取得可能である。
【００２１】
（２）植物用切り込み１３は、吸水スポンジ１１の上面１１ａに対して直交する方向から見て十字状をなしている。これにより、植物用切り込み１３の交差部分１３ｃに植物２０を差し込むことにより、植物２０の周りを吸水スポンジ１１によって囲むことができる。したがって、植物２０をより安定した姿勢で支持できる。
【００２２】
（３）ラベル用切り込み１４は、吸水スポンジ１１の上面１１ａに対して直交する方向から見て直線状をなしている。これにより、ラベル用切り込み１４の形状に沿うようにラベル２１をラベル用切り込み１４に差し込むことにより、ラベル２１の両面から吸水スポンジ１１によってラベル２１を挟むことができる。したがって、ラベル２１をより安定した姿勢で支持できる。
【００２３】
なお、上記実施形態は、以下のように変更して実施することができる。上記実施形態及び以下の変更例は、技術的に矛盾しない範囲で互いに組み合わせて実施することができる。
【００２４】
・交差部分１３ｃ以外の第１植物用切り込み１３ａや第２植物用切り込み１３ｂの部分に植物２０を差し込んでもよい。
・吸水スポンジ１１の上面１１ａに対して直交する方向から見たときに、第１植物用切り込み１３ａと第２植物用切り込み１３ｂとで上面１１ａへの形成寸法が異なっていてもよい。
【００２５】
・第１植物用切り込み１３ａ及び第２植物用切り込み１３ｂは、上面１１ａにおいて互いに直交しなくてもよい。この場合、上面１１ａにおける第１植物用切り込み１３ａと第２植物用切り込み１３ｂとの交差角が９０度以外の角度となる。
【００２６】
・上面１１ａにおける第１植物用切り込み１３ａの両端部及び第２植物用切り込み１３ｂの両端部のうち、一部の端部又は全ての端部が上面１１ａの辺に位置してもよい。
・第１植物用切り込み１３ａと第２植物用切り込み１３ｂとの交差部分１３ｃは、吸水スポンジ１１における上面１１ａの中心位置１１ｃからずれた位置にあってもよい。
【００２７】
・第１植物用切り込み１３ａ及び第２植物用切り込み１３ｂは上面１１ａにて交差しなくてもよい。この場合、第１植物用切り込み１３ａ及び第２植物用切り込み１３ｂの一方又は両方に植物２０を差し込むことが可能である。
【００２８】
・植物用切り込み１３は、第１植物用切り込み１３ａ及び第２植物用切り込み１３ｂにさらに切り込みが加わった３つ以上の切り込みで構成されてもよい。この場合、上面１１ａにおいて、植物用切り込み１３を構成する一部の切り込み又は全ての切り込みが互いに交差してもよいし、植物用切り込み１３を構成する全ての切り込みが互いに交差しなくてもよい。
【００２９】
・ラベル用切り込み１４は、吸水スポンジ１１の上面１１ａに対して直交する方向から見たときに、上面１１ａの一辺に対して傾斜するように延びる形状であってもよい。
・上面１１ａにおけるラベル用切り込み１４の両端部のうち、一方端部又は両端部が上面１１ａの辺に位置してもよい。
【００３０】
・ラベル用切り込み１４に差し込まれるラベル２１は、表示部２１ａに植物２０の名称以外の植物２０の情報が表示されたものであってもよい。
・上面１１ａにおいて、植物用切り込み１３とラベル用切り込み１４とが交差していてもよい。
【００３１】
・第１植物用切り込み１３ａ、第２植物用切り込み１３ｂ、及びラベル用切り込み１４は、吸水スポンジ１１の上面１１ａに対して直交する方向から見たときに、直線状をなす形状に限らない。例えば、植物用切り込み１３やラベル用切り込み１４は、全体が曲線部分からなる形状であってもよいし、曲線部分と直線部分とで構成される形状であってもよい。
【符号の説明】
【００３２】
１０…植物支持具、１１…吸水スポンジ、１１ａ…上面、１１ｃ…中心位置、１２…切り込み、１３…植物用切り込み、１３ａ…第１植物用切り込み、１３ｂ…第２植物用切り込み、１３ｃ…交差部分、１４…ラベル用切り込み、２０…植物、２０ａ…茎、２１…ラベル、２１ａ…表示部、２１ｂ…差込部、Ｘ…奥行方向、Ｙ…幅方向、Ｚ…鉛直方向。
【図１】
0003225581.tif 000003
【図２】
0003225581.tif 000004
【図３】
0003225581.tif 000005